(57)【要約】【課題】イベント会場に設置される印刷システムの構築にかかるコストを低減する。【解決手段】被写体を撮影し撮影画像を含む撮影画像データを保存している第１の携帯端末と、印刷データを用いて印刷する印刷機に印刷データを送信する印刷中継装置との間で無線通信可能な印刷管理装置であって、第１の携帯端末から印刷対象となる撮影画像データを無線で受信する通信部と、通信部が受信した撮影画像データに対して画像処理を施して印刷用画像データを生成する画像処理部と、印刷中継装置における容量及び／または処理量の制限に応じて予め設定された規則に基づいて、通信部による印刷用画像データの印刷中継装置への無線送信を制御する制御部と、を備える。【選択図】図３
2015179450.tif 000002
【特許請求の範囲】
【請求項１】
被写体を撮影し撮影画像を含む撮影画像データまたは画像データを保存している第１の携帯端末と、印刷データを用いて印刷する印刷機に前記印刷データを送信する印刷中継装置と、の間で無線通信可能な印刷管理装置であって、
前記第１の携帯端末から印刷対象となる撮影画像データまたは画像データを無線で受信する通信部と、
前記印刷中継装置における容量及び／または処理量の制限に応じて予め設定された規則に基づいて、前記通信部による前記撮影画像データまたは前記画像データに基づくデータの前記印刷中継装置への無線送信を制御する制御部と、
を備える印刷管理装置。
【請求項２】
前記印刷データは、前記印刷中継装置により、前記印刷用画像データに対して更に画像処理が施されたデータである
請求項１に記載の印刷管理装置。
【請求項３】
前記制御部は、予め決められた設定時間が経過する毎に、既に送信された印刷用画像データとは異なる印刷用画像データを前記通信部から前記印刷中継装置へ無線送信する
請求項１または２に記載の印刷管理装置。
【請求項４】
前記制御部は、前記通信部による通信を用いて、前記印刷中継装置における処理状態を監視し、前記監視した結果、前記印刷中継装置における前記印刷データの送信が終了したら、既に送信された印刷用画像データとは異なる印刷用画像データを前記通信部から前記印刷中継装置へ無線送信する
請求項１または２に記載の印刷管理装置。
【請求項５】
前記撮影画像データまたは前記画像データに対して予め設定された情報を合成して印刷用画像データを前記撮影画像データまたは前記画像データに基づくデータとして生成する画像処理部を更に備え、
前記制御部は、前記通信部による前記印刷用画像データの前記印刷中継装置への無線送信を制御する
請求項１から４のいずれか一項に記載の印刷管理装置。
【請求項６】
当該印刷管理装置は、第２の携帯端末である
請求項１から５のいずれか一項に記載の印刷管理装置。
【請求項７】
前記印刷中継装置は、シングルボードコンピュータである
請求項１から６のいずれか一項に記載の印刷管理装置。
【請求項８】
印刷データを用いて印刷する印刷機に前記印刷データを送信する印刷中継装置と、
被写体を撮影し撮影画像を含む撮影画像データまたは画像データを保存している第１の携帯端末と前記印刷中継装置との間で無線通信可能な印刷管理装置と、
を備え、
前記印刷管理装置は、
前記第１の携帯端末から印刷対象となる撮影画像データまたは画像データを無線で受信する通信部と、
前記印刷中継装置における印刷用画像データ容量及び／または処理量の制限に応じて予め設定された規則に基づいて、前記通信部による前記撮影画像データまたは前記画像データに基づくデータの前記印刷中継装置への無線送信を制御する制御部と、
を備える印刷システム。
【請求項９】
被写体を撮影し撮影画像を含む撮影画像データまたは画像データを保存している第１の携帯端末と、印刷データを用いて印刷する印刷機に前記印刷データを送信する印刷中継装置と、の間で無線通信可能な印刷管理装置が実行する印刷管理方法であって、
通信部が、前記第１の携帯端末から印刷対象となる撮影画像データまたは画像データを無線で受信し、
制御部が、前記印刷中継装置における容量及び／または処理量の制限に応じて予め設定された規則に基づいて、前記通信部による前記撮影画像データまたは前記画像データに基づくデータの前記印刷中継装置への無線送信を制御する、
印刷管理方法。
【請求項１０】
被写体を撮影し撮影画像を含む撮影画像データまたは画像データを保存している第１の携帯端末と、印刷データを用いて印刷する印刷機に前記印刷データを送信する印刷中継装置との間で無線通信可能な印刷管理装置であって、前記第１の携帯端末から印刷対象となる撮影画像データまたは画像データを無線で受信する通信部を備える印刷管理装置のコンピュータを、
前記印刷中継装置における容量及び／または処理量の制限に応じて予め設定された規則に基づいて、前記通信部による前記撮影画像データまたは前記画像データに基づくデータの前記印刷中継装置への無線送信を制御する制御部、
として機能させるための印刷管理プログラム。
【発明の詳細な説明】
【技術分野】
【０００１】
本発明は、印刷管理装置、印刷システム、印刷管理方法及び印刷管理プログラムに関する。
【背景技術】
【０００２】
デジタルカメラで撮影した画像を印刷する方法としては、画像が記録されたＳＤカードなどの記録メディアを印刷店に持って行って、印刷を注文することや、自宅の印刷機で印刷することなどが考えられる。一方、イベントの際に撮影した画像については、複数のイベント参加者の間で画像を共有するために、画像をその場で印刷することが望まれる。このような需要に応えるために、例えば特許文献１において、イベント会場に設置され、デジタルカメラから無線で送信された画像を印刷する印刷機を備えた写真サービスシステムが提案されている。
【先行技術文献】
【特許文献】
【０００３】
【特許文献１】特開２００１−１９７４０７号公報
【発明の概要】
【発明が解決しようとする課題】
【０００４】
多くの参加者が参加するイベントにおいて、各参加者の携帯端末から印刷機に画像データが送信される場合がある。このような場合であっても、画像データにより特定される画像を印刷可能な印刷システムを安価に構築することが課題である。
【０００５】
本発明は、このような課題を解決し得る印刷管理装置、印刷システム、印刷管理方法及び印刷管理プログラムを提供することを目的とする。
【課題を解決するための手段】
【０００６】
本発明の一態様による印刷管理装置は、被写体を撮影し撮影画像を含む撮影画像データまたは画像データを保存している第１の携帯端末と、印刷データを用いて印刷する印刷機に前記印刷データを送信する印刷中継装置との間で無線通信可能な印刷管理装置であって、前記第１の携帯端末から印刷対象となる撮影画像データまたは画像データを無線で受信する通信部と、前記通信部が受信した撮影画像データに対して画像処理を施して印刷用画像データを生成する画像処理部と、前記印刷中継装置における容量及び／または処理量の制限に応じて予め設定された規則に基づいて、前記通信部による前記撮影画像データまたは前記画像データに基づくデータ撮影画像データに基づくデータの前記印刷中継装置への無線送信を制御する制御部と、を備える。
【０００７】
本発明の一態様による印刷管理装置は、前記印刷データは、前記印刷中継装置により、前記印刷用画像データに対して更に画像処理が施されたデータである。
【０００８】
本発明の一態様による印刷管理装置において、前記制御部は、予め決められた設定時間が経過する毎に、既に送信された印刷用画像データとは異なる印刷用画像データを前記通信部から前記印刷中継装置へ無線送信する。
【０００９】
本発明の一態様による印刷管理装置において、前記制御部は、前記通信部による通信を用いて、前記印刷中継装置における前記印刷データの送信処理の状態を監視し、前記監視した結果、前記印刷中継装置における前記印刷データの送信が終了したら、既に送信された印刷用画像データとは異なる印刷用画像データを前記通信部から前記印刷中継装置へ無線送信する。
【００１０】
本発明の一態様による印刷管理装置において、前記撮影画像データまたは前記画像データに対して予め設定された情報を合成して前記印刷用画像データを前記撮影画像データまたは前記画像データに基づくデータとして生成する画像処理部を更に備え、前記制御部は、前記通信部による前記印刷用画像データの前記印刷中継装置への無線送信を制御する。
【００１１】
本発明の一態様による印刷管理装置において、当該印刷管理装置は、第２の携帯端末である。
【００１２】
本発明の一態様による印刷管理装置において、前記印刷中継装置は、シングルボードコンピュータである。
【００１３】
本発明の一態様による印刷システムは、印刷データを用いて印刷する印刷機に前記印刷データを送信する印刷中継装置と、被写体を撮影し撮影画像を含む撮影画像データまたは画像データを保存している第１の携帯端末と前記印刷中継装置との間で無線通信可能な印刷管理装置と、を備え、前記印刷管理装置は、前記第１の携帯端末から印刷対象となる撮影画像データまたは画像データを無線で受信する通信部と、前記印刷中継装置における容量及び／または処理量の制限に応じて予め設定された規則に基づいて、前記通信部による前記撮影画像データまたは前記画像データに基づくデータの前記印刷中継装置への無線送信を制御する制御部と、を備える。
【００１４】
本発明の一態様による印刷管理方法は、被写体を撮影し撮影画像を含む撮影画像データまたは画像データを保存している第１の携帯端末と、印刷データを用いて印刷する印刷機に前記印刷データを送信する印刷中継装置と、の間で無線通信可能な印刷管理装置が実行する印刷管理方法であって、通信部が、前記第１の携帯端末から印刷対象となる撮影画像データまたは画像データを無線で受信し、制御部が、前記印刷中継装置における容量及び／または処理量の制限に応じて予め設定された規則に基づいて、前記通信部による前記撮影画像データまたは前記画像データに基づくデータの前記印刷中継装置への無線送信を制御する。
【００１５】
本発明の一態様による印刷管理プログラムは、被写体を撮影し撮影画像を含む撮影画像データまたは画像データを保存している第１の携帯端末と、印刷データを用いて印刷する印刷機に前記印刷データを送信する印刷中継装置との間で無線通信可能な印刷管理装置であって、前記第１の携帯端末から印刷対象となる撮影画像データまたは画像データを無線で受信する通信部を備える印刷管理装置のコンピュータを、前記印刷中継装置における容量及び／または処理量の制限に応じて予め設定された規則に基づいて、前記通信部による前記撮影画像データまたは前記画像データに基づくデータの前記印刷中継装置への無線送信を制御する制御部、として機能させるための印刷管理プログラムである。
【発明の効果】
【００１６】
本発明によれば、印刷中継装置における容量及び／または処理量の制限画像データに応じて予め設定された規則に基づいて、印刷用画像データの印刷中継装置への無線送信を制御するので、印刷中継装置の単位時間あたりの処理量を落とすことができる。これにより、印刷中継装置のコストを低減することができるので、イベント会場に設置される印刷システムの構築にかかるコストを低減することができる。
【図面の簡単な説明】
【００１７】
【図１】図１は、本実施形態に係る印刷システム１の概略構成の一例を示す図である。
【図２】図２は、本実施形態に係る携帯端末ＭＴの概略構成の一例を示す図である。
【図３】図３は、本実施形態に係る印刷管理装置ＰＭの概略構成の一例を示す図である。
【図４】図４は、本実施形態に係る印刷中継装置ＰＲの概略構成の一例を示す図である。
【図５】図５は、本実施形態に係る印刷システム１が実行する印刷方法を説明するフローチャートである。
【発明を実施するための形態】
【００１８】
以下、本発明の実施の形態を図面に基づいて説明する。
【００１９】
図１は、本実施形態に係る印刷システム１の概略構成の一例を示す図である。印刷システム１は、携帯端末ＭＴ−１、…、ＭＴ−ＮまでのＮ台（Ｎは自然数）の携帯端末ＭＴ−ｉ（ｉは１からＮまでの整数）、印刷管理装置ＰＭ、印刷中継装置ＰＲ、及び印刷機ＰＴを備える。
【００２０】
携帯端末ＭＴ−１、…、ＭＴ−Ｎは、被写体を撮影し撮影画像を含む撮影画像データまたは画像データを保存している。携帯端末ＭＴ−１、…、ＭＴ−Ｎは、無線ＬＡＮ（Local Area Network）によるデータ通信機能を有しており、例えば、携帯電話、スマートフォン、またはタブレット端末などである。以下、携帯端末ＭＴ−１、…、ＭＴ−Ｎを総称して携帯端末ＭＴという。
【００２１】
印刷管理装置ＰＭは、携帯端末ＭＴと印刷中継装置ＰＲとの間で無線通信可能である。印刷管理装置ＰＭは、複数の携帯端末ＭＴから印刷注文を無線通信により取得し、印刷注文を管理する。また、印刷管理装置ＰＭは、印刷注文ととともに、複数の携帯端末ＭＴから複数の撮影画像データを無線通信により取得し、撮影画像データを蓄積する。そして、印刷管理装置ＰＭは、複数の撮影画像データそれぞれに対して画像処理を施して複数の印刷用画像データを生成し、生成した印刷用画像データを順次、印刷中継装置ＰＲへ無線送信する。また、印刷管理装置ＰＭは、複数の携帯端末ＭＴから複数の撮影画像データをスライドショーで表示する。
【００２２】
印刷管理装置ＰＭは、例えば、タブレット端末である。なお、印刷管理装置ＰＭは、他の携帯端末でもよく、携帯電話またはスマートフォンであってもよい。
【００２３】
印刷中継装置ＰＲは、無線ＬＡＮによるデータ通信機能を有しており、携帯端末ＭＴとの間で無線通信する。また、印刷中継装置ＰＲは、印刷機ＰＴと例えば有線で接続されている。例えば、印刷中継装置ＰＲは、携帯端末ＭＴから無線送信された印刷データ用画像を受信し、受信した印刷データ用画像に対して画像処理と色調整（カラーマネジメント）を施して印刷データを生成する。そして、印刷中継装置ＰＲは、生成した印刷データを印刷機ＰＴに送信する。
【００２４】
なお、印刷中継装置ＰＲは、印刷機ＰＴと有線で接続されていると説明したが、これに限ったものではなく、印刷機ＰＴと有線で接続されていない場合がある。その場合、印刷中継装置ＰＲは、生成した印刷データを印刷機ＰＴに無線送信してもよい。
【００２５】
ここで、本実施形態に係る印刷中継装置ＰＲは、例えば、印刷機ＰＴと有線で接続され印刷データを印刷機ＰＴに送信するシングルボードコンピュータＳＢＣと、シングルボードコンピュータＳＢＣに外付けで接続され、携帯端末ＭＴと無線通信可能な無線通信装置ＷＣとを備える。
【００２６】
ここで、シングルボードコンピュータＳＢＣは、１枚の回路基板に単体のコンピュータとして動作するのに必要な全ての機能及び要素を実装したものである。より具体的には、シングルボードコンピュータＳＢＣは、例えば、限定されたハードウェアスペックを有するオープンソースボード上でＬｉｎｕｘ（登録商標）及びアプリケーションを動作させたものである。印刷中継装置ＰＲは、このように限定されたハードウェアスペックを有するため、容量及び／または処理量の制限印刷用画像データがある。本実施形態では、その制限は例えば、一度に扱える印刷用画像データの数が一つであるという制限である。これにより、印刷中継装置ＰＲのコストを抑えることができる。
【００２７】
なお、印刷中継装置ＰＲは、シングルボードコンピュータＳＢＣを備えるとしたが、これに限ったものではない。印刷中継装置ＰＲは、シングルボードコンピュータＳＢＣに代わりに、複数（例えば、２、３枚）の回路基板を備える場合もある。この場合、これらの複数の回路基板に単体のコンピュータとして動作するのに必要な全ての機能及び要素を実装し、これらの複数の回路基板が、本実施形態に係るシングルボードコンピュータＳＢＣと同様の機能を実現するようにしてもよい。
【００２８】
無線通信装置ＷＣは、例えば、無線ＬＡＮによるデータ通信機能を有する装置である。無線通信装置ＷＣが例えば外付けでシングルボードコンピュータＳＢＣに接続されることで、シングルボードコンピュータＳＢＣは無線ＬＡＮによるデータ通信が可能になる。
【００２９】
印刷機ＰＴは、印刷中継装置ＰＲから受信した印刷データを用いて、印刷する。これにより、この印刷データにより特定される画像が印刷される。
【００３０】
続いて、本実施形態に係る携帯端末ＭＴの構成について図２を用いて説明する。
【００３１】
図２は、本実施形態に係る携帯端末ＭＴの概略構成の一例を示す図である。図２に示すように、携帯端末ＭＴは、記憶部１１、ＲＡＭ（Random Access Memory）１２、ＣＰＵ（Central Processing Unit）１３、撮影部１４、通信部１５、及びタッチパネル１６を備える。これらの構成要素は、互いに内部バスによって接続されている。
【００３２】
記憶部１１には、アプリケーション（以下、アプリという）が記憶されている。
【００３３】
ＲＡＭ１２は、データを一次記憶する揮発性のメモリである。
【００３４】
ＣＰＵ１３は、記憶部１１に記憶されているアプリケーションをＲＡＭ１２に読み出して実行することにより、撮影部１４、通信部１５及びタッチパネル１６を制御する。
【００３５】
撮影部１４は、被写体を撮影して撮影画像を生成し、生成した撮影画像を含む撮影画像データをＣＰＵ１３へ出力する。この撮影画像データは、ＣＰＵ１３により記憶部１１に記憶される。
【００３６】
通信部１５は、無線ＬＡＮによるデータ通信機能を有し、印刷管理装置ＰＭと無線通信可能である。
【００３７】
タッチパネル１６は、ユーザの操作を受け付ける。例えば、タッチパネル１６は、印刷対象となる画像の選択に係る操作を受け付ける。そして、タッチパネル１６は、受け付けた操作を示す操作情報をＣＰＵ１３へ出力する。
【００３８】
ＣＰＵ１３は、操作情報に基づいて、印刷対象となる画像を特定し、特定した画像を含む撮影画像データを記憶部１１から読み出し、読み出した撮影画像データを通信部１５から印刷管理装置ＰＭへ送信させる。
【００３９】
続いて、本実施形態に係る印刷管理装置ＰＭの構成について図３を用いて説明する。
【００４０】
図３は、本実施形態に係る印刷管理装置ＰＭの概略構成の一例を示す図である。図３に示すように印刷管理装置ＰＭは、通信部２１、記憶部２２、ＲＡＭ２３、タッチパネル２４、及びＣＰＵ２５を備える。これらの構成要素は、互いに内部バスによって接続されている。
【００４１】
通信部２１は、無線ＬＡＮによるデータ通信機能を有し、端末装置ＭＴ−１、…、ＭＴ―Ｎと無線通信可能である。例えば、通信部２１は、携帯端末ＭＴから印刷対象となる撮影画像データまたは画像データを無線で受信する。
【００４２】
記憶部２２は、ＣＰＵ２５が読み出して実行するための各種のプログラムが記憶されている。
【００４３】
ＲＡＭ２３は、データを一次記憶する揮発性のメモリである。
【００４４】
タッチパネル２４は、ユーザにより操作を受け付けるとともに、ＣＰＵ２５の制御により情報を表示する。
【００４５】
ＣＰＵ２５は、記憶部２２から各種のプログラムをＲＡＭ２３に読み出して実行することで、画像処理部２５１及び制御部２５２として機能する。また、ＣＰＵ２５は、通信部２１及びタッチパネル２４を制御する。
【００４６】
画像処理部２５１は、通信部２１が受信した撮影画像データに対して画像処理を施して印刷用画像データを生成する。具体的には例えば、画像処理部２５１は、撮影画像データまたは画像データに対して予め設定された情報を合成し、色調整して印刷用画像データを生成する。ここで、予め設定された情報は、例えば、当該印刷システム１が使用されるイベント（例えば、結婚式）毎に予め設定されたフレーム、イベント名及び／またはイベントが開催された日付などの文字情報、イベント会場特有のロゴなどの画像情報のうちの一部または全部の情報である。画像処理及び色調整後、画像処理部２５１は、印刷用画像データを制御部２５２に渡す。
【００４７】
制御部２５２は、印刷中継装置ＰＲにおける容量及び／または処理量の制限に応じて予め設定された規則に基づいて、通信部２１による撮影画像データまたは画像データに基づくデータ（例えば、印刷用画像データ）の印刷中継装置への無線送信を制御する。例えば、制御部２５２は、予め決められた設定時間が経過する毎に、既に送信された印刷用画像データとは異なる印刷用画像データを通信部２１から印刷中継装置へ無線送信する。ここで、予め設定された設定時間は、印刷中継装置ＰＲがある印刷用画像データを受信した時からその印刷用画像データに基づく印刷データを送信する時までに要する時間である。これにより、制御部２５２は、印刷中継装置ＰＲが印刷データを送信する毎に、新たな印刷用画像データを印刷中継装置ＰＲへ送信することができる。
【００４８】
また、制御部２５２は、通信部２１による通信を用いて、印刷中継装置ＰＲにおける印刷用画像データの処理状態を監視し、印刷中継装置ＰＲにおける印刷用画像データの処理状態をタッチパネル２４に表示する。
【００４９】
なお、制御部２５２は、監視した結果、印刷中継装置ＰＲにおける印刷用画像データに対する処理が終了したら、既に送信された印刷用画像データとは異なる印刷用画像データを通信部２１から印刷中継装置ＰＲへ無線送信してもよい。これにより、制御部２５２は、印刷中継装置ＰＲが印刷データを送信する毎に、新たな印刷用画像データを印刷中継装置ＰＲへ送信することができる。
【００５０】
続いて、本実施形態に係る印刷中継装置ＰＲの構成について図４を用いて説明する。図４は、本実施形態に係る印刷中継装置ＰＲの概略構成の一例を示す図である。図４に示すように印刷中継装置ＰＲは、無線通信装置ＷＣと、無線通信装置ＷＣが外付けで接続されたシングルボードコンピュータＳＢＣとを備える。例えば、無線通信装置ＷＣはＵＳＢ（Universal Serial Bus）インタフェース（図示せず）を備え、そのＵＳＢインタフェースがシングルボードコンピュータＳＢＣが備えるＵＳＢインタフェース（図示せず）と接続されている。
【００５１】
無線通信装置ＷＣは、無線ＬＡＮによるデータ通信機能を有し、印刷管理装置ＰＭと無線通信可能である。例えば、無線通信装置ＷＣは、印刷管理装置ＰＭから印刷用画像データを無線通信により取得する。
【００５２】
シングルボードコンピュータＳＢＣは、記憶部３２、ＲＡＭ３３、出力部３４、及びＣＰＵ３５を備える。これらの構成要素は、互いに内部バスによって接続されている。
【００５３】
記憶部３２は、ＣＰＵ３５が読み出して実行するための各種のプログラムが記憶されている。
【００５４】
ＲＡＭ３３は、データを一次記憶する揮発性のメモリである。
【００５５】
出力部３４は、印刷機ＰＴと接続された出力インタフェースである。
【００５６】
ＣＰＵ３５は、記憶部３２に記憶されている各種のプログラムをＲＡＭ３３に読み出して実行することにより、無線通信装置ＷＣ及び出力部３４を制御する。
【００５７】
ＣＰＵ３５は、無線通信装置ＷＣが取得した印刷用画像データに対して画像処理を施し、色調整を行って印刷データを生成する。そして、ＣＰＵ３５は、生成した印刷データを出力部３４から印刷機ＰＴへ出力させる。印刷機ＰＴは、この印刷データを受信し、印刷データを用いて印刷する。これにより、印刷データにより特定される画像が印刷機ＰＴで印刷される。ＣＰＵ３５は、印刷データを印刷機ＰＴへ出力後、ＲＡＭ３３に保持していた印刷データを削除する。
【００５８】
続いて、図５を用いて本実施形態に係る携帯端末ＭＴ、印刷管理装置ＰＭ、印刷中継装置ＰＲ、及び印刷機ＰＴの処理動作による印刷方法について説明する。
【００５９】
図５は、本実施形態に係る印刷システム１が実行する印刷方法の一例を示すフローチャートである。図５において、携帯端末ＭＴには、印刷用のアプリが予め保存されているものとして、以下説明する。
【００６０】
（ステップＳ１０１）まず、携帯端末ＭＴは、ユーザによるアプリを起動させる操作を受けて、アプリを起動する。
【００６１】
（ステップＳ１０２）次に、携帯端末ＭＴは、被写体を撮影し、撮影画像に対し加工を施し、撮影画像を編集して、撮影画像データを得る。
【００６２】
（ステップＳ１０３）次に、携帯端末ＭＴそれぞれは、撮影画像データを印刷管理装置ＰＭへ送信する。これにより、複数の撮影画像データが印刷管理装置ＰＭへ送信される。
【００６３】
上述したステップＳ１０１〜Ｓ１０３の処理により、携帯端末ＭＴそれぞれは、撮影して得た撮影画像データを印刷管理装置ＰＭへ無線送信する。
【００６４】
（ステップＳ２０１）次に、印刷管理装置ＰＭは、ステップＳ１０３で無線送信された複数の撮影画像データを複数の携帯端末ＭＴから受信する。
【００６５】
（ステップＳ２０２）次に、印刷管理装置ＰＭは、ステップＳ２０１で受信した複数の撮影画像データを保存する。
【００６６】
（ステップＳ２０３）次に、印刷管理装置ＰＭは、ステップＳ２０２で保存した複数の撮影画像データに対して、画像処理及び色調整を施して、複数の印刷用画像データを生成する。
【００６７】
（ステップＳ２０４）次に、印刷管理装置ＰＭは、ステップＳ２０３で生成した複数の印刷用画像データのうち、ある印刷用画像データを印刷中継装置ＰＲへ無線送信する。
【００６８】
（ステップＳ２０５）次に、印刷管理装置ＰＭは、ステップＳ２０４である印刷用画像データを送信してから設定時間が経過したか否か判定する。ある印刷用画像データを送信してから設定時間が経過していない場合、印刷管理装置ＰＭは、そのまま待機する。
【００６９】
（ステップＳ２０６）ステップＳ２０５で、ある印刷用画像データを送信してから設定時間が経過したと判定した場合、印刷管理装置ＰＭは、次の印刷用画像データを印刷中継装置ＰＲへ無線送信する。
【００７０】
（ステップＳ２０７）次に、印刷管理装置ＰＭは、全ての印刷用画像データを印刷中継装置ＰＲへ送信したか否か判定する。全ての印刷用画像データを印刷中継装置ＰＲへ送信していない場合、印刷管理装置ＰＭは、ステップＳ２０５の処理に戻る。一方、全ての印刷用画像データを印刷中継装置ＰＲへ送信した場合、印刷管理装置ＰＭは、印刷管理処理を終了する。
【００７１】
上述したステップＳ２０１〜Ｓ２０７の処理により、印刷管理装置ＰＭは、設定時間経過する毎に、印刷中継装置ＰＲへ印刷用画像データを送信する。この設定時間は、印刷中継装置ＰＲがある印刷用画像データを受信した時からその印刷用画像データに基づく印刷データを送信する時までに要する時間であるから、印刷中継装置ＰＲは、ある印刷用画像データの処理が完了する毎に、次の印刷用画像データを受信することができる。その結果、印刷中継装置ＰＲが次の印刷用画像データを受信できなくなる事態を回避することができる。また、印刷中継装置ＰＲは、連続して印刷用画像データを処理できるので、印刷指令を受けた全ての撮影画像の印刷に要する時間を短縮することができる。
【００７２】
続いて、印刷中継装置ＰＲの処理について説明する。
【００７３】
（ステップＳ３０１）印刷中継装置ＰＲは、ステップＳ２０４で無線送信された印刷用画像データを受信する。
【００７４】
（ステップＳ３０２）次に、印刷中継装置ＰＲは、ステップＳ３０１で受信した印刷用画像データに対して、画像処理及び色調整を施し、印刷データを生成する。
【００７５】
（ステップＳ３０３）次に、印刷中継装置ＰＲは、ステップＳ３０２で生成した印刷データを印刷機ＰＴへ有線で送信する。
【００７６】
（ステップＳ３０４）次に、印刷中継装置ＰＲは、ステップＳ２０６で無線送信された印刷用画像データを受信する。
【００７７】
（ステップＳ３０５）次に、印刷中継装置ＰＲは、ステップＳ３０４で受信した印刷用画像データに対して、画像処理及び色調整を施し、印刷データを生成する。
【００７８】
（ステップＳ３０６）次に、印刷中継装置ＰＲは、ステップＳ３０５で生成した印刷データを印刷機ＰＴへ有線で送信する。
【００７９】
上述したステップＳ３０１〜Ｓ３０７の処理により、印刷中継装置ＰＲは、印刷用画像データを受信する毎に、受信した印刷用画像データに基づく印刷データを印刷機ＰＴへ送信する。これにより、印刷指令の対象となる撮影画像を含む印刷データが順次印刷機ＰＴへ送信される。
【００８０】
続いて、印刷機ＰＴの処理について説明する。
【００８１】
（ステップＳ４０１）印刷機ＰＴは、ステップＳ３０３で送信された印刷データを受信する。
【００８２】
（ステップＳ４０２）次に、印刷機ＰＴは、ステップＳ４０１で受信した印刷データを用いて印刷する。これによりステップＳ４０１で受信した印刷データにより特定される画像が印刷される。
【００８３】
（ステップＳ４０３）印刷機ＰＴは、ステップＳ３０６で送信された印刷データを受信する。
【００８４】
（ステップＳ４０４）次に、印刷機ＰＴは、ステップＳ４０３で受信した印刷データを用いて印刷する。これによりステップＳ４０３で受信した印刷データで特定される画像が印刷される。
【００８５】
上述したステップＳ４０１〜Ｓ４０４の処理により、印刷機ＰＴは、印刷データを受信する毎に、この受信した印刷データを印刷する。これにより、印刷指令の対象となる撮影画像が順次印刷される。
【００８６】
以上、本実施形態に係る印刷管理装置ＰＭは、被写体を撮影し撮影画像を含む撮影画像データを保存している携帯端末ＭＴと、印刷機ＰＴと有線で接続され印刷データを印刷データを用いて印刷する印刷機ＰＴに送信する印刷中継装置ＰＲとの間で無線通信可能な印刷管理装置ＰＭである。印刷管理装置ＰＭは、携帯端末ＭＴから印刷対象となる撮影画像データまたは画像データを無線で受信する通信部２１を備える。更に、印刷管理装置ＰＭは、通信部２１が受信した撮影画像データに対して画像処理を施して印刷用画像データを生成する画像処理部２５１を備える。更に、印刷管理装置ＰＭは、印刷中継装置ＰＲにおける印刷用画像データ容量及び／または処理量の制限に応じて予め設定された規則に基づいて、通信部２１による印刷用画像データの印刷中継装置ＰＲへの無線送信を制御する制御部２５２を備える。
【００８７】
従って、本実施形態に係る印刷管理装置ＰＭによれば、印刷中継装置ＰＲにおける印刷用画像データ容量及び／または処理量の制限に応じて予め設定された規則に基づいて、印刷用画像データの印刷中継装置ＰＲへの無線送信を制御するので、印刷システム１の機能を低下することなしに印刷中継装置ＰＲの単位時間あたりの処理量を落とすことができる。これにより、印刷中継装置ＰＲのコストを低減することができるので、イベント会場に設置される印刷システム１の構築にかかるコストを低減することができる。
【００８８】
なお、印刷中継装置ＰＲに表示装置が接続されて、印刷中継装置ＰＲは、印刷中継装置ＰＲにおける印刷用画像データの処理状態を示す情報をこの表示装置に表示してもよい。
【００８９】
また、上述した設定時間は、印刷中継装置ＰＲがある印刷用画像データを受信した時からその印刷用画像データに基づく印刷データを送信する時までに要する時間より長くてもよい。これにより、印刷中継装置ＰＲは、ある印刷用画像データの処理が完了した後に、次の印刷用画像データを受信することができる。その結果、印刷中継装置ＰＲが次の印刷用画像データを受信できなくなる事態を回避することができる。なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００９０】
１  印刷システム
ＭＴ−１、…、ＭＴ−Ｎ、ＭＴ  携帯端末
ＰＭ  印刷管理装置
ＰＲ  印刷中継装置
ＰＴ  印刷機
１１  記憶部
１２  ＲＡＭ
１３  ＣＰＵ
１４  撮影部
１５  通信部
１６  タッチパネル
２１  通信部
２２  記憶部
２３  ＲＡＭ
２４  タッチパネル
２５  ＣＰＵ
２５１  画像処理部
２５２  制御部
ＷＣ  無線通信装置
ＳＢＣ  シングルボードコンピュータ
３２  記憶部
３３  ＲＡＭ
３４  出力部
３５  ＣＰＵ
【図１】
2015179450.tif 000003
【図２】
2015179450.tif 000004
【図３】
2015179450.tif 000005
【図４】
2015179450.tif 000006
【図５】
2015179450.tif 000007